(57)【要約】【課題】壁部を介して設けられる給電コイルと受電コイルとを対向させて配置することができる位置決め治具を提供する。【解決手段】壁部１１の室内側の面（一方の面）１１ａに沿って配置可能な第１板部２と、壁部１１の室外側の面（他方の面）１１ｂに沿って配置可能な第２板部３と、第１板部２と第２板部３とを接続し開口部１２の縁部に沿って配置可能な接続板部４と、を有し、第１板部２は、壁部１１に設置される給電コイルに対応する位置を示す第１孔部（給電コイル設置位置表示部）２１を有し、第２板部３は、壁部１１に設置される受電コイルに対応する位置を示す第２孔部（受電コイル設置位置表示部）３１を有し、第１孔部２１と第２孔部３１とは、互いに対向する位置に配置されている。【選択図】図４
2019022394.tif 000002
【特許請求の範囲】
【請求項１】
開口部が形成された壁部の一方の面に設置される給電コイルと、前記壁部の他方の面に設置される受電コイルとを前記壁部を介して対向して配置するための位置決め治具であって、
前記壁部の一方の面に沿って配置可能な第１板部と、
前記壁部の他方の面に沿って配置可能な第２板部と、
前記第１板部と前記第２板部とを接続し前記開口部の縁部に沿って配置可能な接続板部と、を有し、
前記第１板部は、前記壁部に設置される前記給電コイルに対応する位置を示す給電コイル設置位置表示部を有し、
前記第２板部は、前記壁部に設置される前記受電コイルに対応する位置を示す受電コイル設置位置表示部を有し、
前記給電コイル設置位置表示部と前記受電コイル設置位置表示部とは、互いに対向する位置に配置されていることを特徴とする位置決め治具。
【請求項２】
前記給電コイル設置位置表示部は、前記第１板部を貫通し前記給電コイルの外形に相当する第１孔部であり、
前記受電コイル設置位置表示部は、前記第２板部を貫通し前記受電コイルの外形に相当する第２孔部である請求項１に記載の位置決め治具。
【請求項３】
前記第１板部と前記接続板部とは、第１折り曲げ線を介して折り曲げ可能に接続され、
前記第２板部と前記接続板部とは、第２折り曲げ線を介して折り曲げ可能に接続され、
前記第１折り曲げ線が前記壁部の一方の面と前記開口部の縁部との境界部に重なって配置され、前記第２折り曲げ線が前記壁部の他方の面と前記開口部の縁部との境界部に重なって配置されるように構成されている請求項１または２に記載の位置決め治具。
【請求項４】
前記接続板部は、前記第１板部と前記第２板部とを接続する接続方向の中間部に、前記接続方向に交差する方向に延びる接続折り曲げ線を有し、前記接続折り曲げ線を介して折り曲げ可能に構成されている請求項１乃至３のいずれか１項に記載の位置決め治具。
【請求項５】
前記給電コイル、前記受電コイル、前記給電コイルおよび前記受電コイルから電力が供給される設備装置のいずれか１つを梱包する梱包材で形成されている請求項１乃至４のいずれか１項に記載の位置決め治具。
【発明の詳細な説明】
【技術分野】
【０００１】
本発明は、位置決め治具に関する。
【背景技術】
【０００２】
近年では、建物の開口部を開閉するシャッターカーテンを手動ではなく電動で開閉する電動シャッター装置が普及している（例えば、特許文献１参照）。このような電動シャッター装置は、シャッターカーテンと、シャッターカーテンを昇降する制御装置と、を備えている。これらのシャッターカーテンおよび制御装置は、開口部が形成された壁部の室外側の面に設けられている。
【０００３】
リフォームなどで既設の開口部（建具）に対して電動シャッター装置を後付する場合、電動シャッター装置は、室内の電源装置から電力を得て駆動することになる。このため、既存の開口部に対して電動シャッター装置を後付する場合には、室内の電源装置から室外の電動シャッター装置に電力を供給するための電源ケーブルを配線する工事が必要となり、電動シャッター装置の施工に時間と手間がかかるという問題がある。
【０００４】
そこで、本願の発明者らは、壁部の室内側に給電コイルを設け、室外側に受電コイルを設け、室内の電源装置から電力を得て駆動した給電コイルから磁界共鳴で受電コイルに非接触で電力伝送することで、上記電源ケーブルを配線する工事を不要とする、容易に建物に施工可能な設備装置を発明した。
【先行技術文献】
【特許文献】
【０００５】
【特許文献１】特開２０１４−１７３３３４号公報
【発明の概要】
【発明が解決しようとする課題】
【０００６】
このような設備装置では、室内側の給電コイルと室外側の受電コイルとを見込み方向（壁部に直交する方向）に対向させて配置することで、給電コイルから受電コイルへ効率的に電力伝送することができる。
しかしながら、給電コイルと受電コイルとは、壁部を介して対向するため、見込み方向に見通すことができない壁部（例えば既存の壁部など）に対して互いを対向させて配置することは困難である。
【０００７】
そこで、本発明は、壁部を介して設けられる給電コイルと受電コイルとを対向させて配置することができる位置決め治具を提供することを目的とする。
【課題を解決するための手段】
【０００８】
上記目的を達成するため、本発明に係る位置決め治具は、開口部が形成された壁部の一方の面に設置される給電コイルと、前記壁部の他方の面に設置される受電コイルとを前記壁部を介して対向して配置するための位置決め治具であって、前記壁部の一方の面に沿って配置可能な第１板部と、前記壁部の他方の面に沿って配置可能な第２板部と、前記第１板部と前記第２板部とを接続し前記開口部の縁部に沿って配置可能な接続板部と、を有し、前記第１板部は、前記壁部に設置される前記給電コイルに対応する位置を示す給電コイル設置位置表示部を有し、前記第２板部は、前記壁部に設置される前記受電コイルに対応する位置を示す受電コイル設置位置表示部を有し、前記給電コイル設置位置表示部と前記受電コイル設置位置表示部とは、互いに対向する位置に配置されていることを特徴とする。
【０００９】
本発明では、第１板部が壁部の一方の面に沿い、第２板部が壁部の他方の面に沿い、接続板部が開口部の縁部に沿うように位置決め治具を設置することにより、給電コイル設置位置表示部と受電コイル設置位置表示部とが壁部を介して対向する位置に配置される。このため、給電コイル設置位置表示部が配置された位置に給電コイルを設置し、受電コイル設置位置表示部が配置された位置に給電コイルを設置することにより、給電コイルと受電コイルとを壁部を介して対向する位置にように配置することができる。
また、給電コイルおよび受電コイルのいずれか一方の位置が決まっている場合には、決まっている方のコイルに、このコイルに対応する給電コイル設置位置表示部および受電コイル設置位置表示部のいずれか一方を合せるようにして位置決め治具を壁部に沿って配置することにより、他方のコイルを設置する位置を容易に確認することができる。これにより、給電コイルと受電コイルとを壁部を介して対向する位置に配置することができる。
【００１０】
また、本発明に係る位置決め治具では、前記給電コイル設置位置表示部は、前記第１板部を貫通し前記給電コイルの外形に相当する第１孔部であり、前記受電コイル設置位置表示部は、前記第２板部を貫通し前記受電コイルの外形に相当する第２孔部であってもよい。
このような構成とすることにより、壁部に沿って設置された位置決め治具の第１孔部に給電コイルを挿入し、第２孔部に受電コイルを挿入するようにすれば、給電コイルと受電コイルとを壁部を介して対向する位置に容易に配置することができる。
また、壁部の位置決め治具の第１孔部および第２孔部と重なる位置に印をつけ、この印に合せて給電コイルおよび受電コイルを設置すれば、給電コイルと受電コイルとを壁部を介して対向する位置に容易に配置することができる。
【００１１】
また、本発明に係る位置決め治具では、前記第１板部と前記接続板部とは、第１折り曲げ線を介して折り曲げ可能に接続され、前記第２板部と前記接続板部とは、第２折り曲げ線を介して折り曲げ可能に接続され、前記第１折り曲げ線が前記壁部の一方の面と前記開口部の縁部との境界部に重なって配置され、前記第２折り曲げ線が前記壁部の他方の面と前記開口部の縁部との境界部に重なって配置されるように構成されていてもよい。
このような構成とすることにより、第１折り曲げ線を壁部の一方の面と開口部との境界部に合わせ、第２折り曲げ線を壁部の他方の面と開口部との境界部に合わせることで、位置決め治具を壁部に対して正位置に配置することができる。これにより、給電コイル設置位置表示部と受電コイル設置位置表示部とを壁部を介して対向する位置に容易に配置することができる。
【００１２】
また、本発明に係る位置決め治具では、前記接続板部は、前記第１板部と前記第２板部とを接続する接続方向の中間部に、前記接続方向に交差する方向に延びる接続折り曲げ線を有し、前記接続折り曲げ線を介して折り曲げ可能に構成されている。
このような構成とすることにより、接続板部の接続方向の寸法が壁部の厚さ寸法（開口部の貫通する方向の寸法）よりも大きい場合でも、接続折り曲げ線で接続板部を折り曲げることで、接続板部の接続方向の寸法を壁部の厚さ寸法に合わせることができる。これにより、第１板部と第２板部との間隔を壁部の厚さ寸法に合わせることができ、壁部の厚さ寸法が異なる場合でも同じ位置決め治具を用いることができる。
【００１３】
また、本発明に係る位置決め治具では、前記給電コイル、前記受電コイル、前記給電コイルおよび前記受電コイルから電力が供給される設備装置のいずれか１つを梱包する梱包材で形成されていてもよい。
このような構成とすることにより、位置決め治具にかかるコストや運搬の手間などを軽減させることができる。
【発明の効果】
【００１４】
本発明によれば、壁部を介して設けられる給電コイルと受電コイルとを対向させて配置することができる。
【図面の簡単な説明】
【００１５】
【図１】本発明の実施形態による位置決め治具を用いて給電コイルおよび受電コイルを配置するシャッター装置の一例を示す斜視図である。
【図２】本発明の第１実施形態による位置決め治具の折り曲げる前の状態を示す図である。
【図３】本発明の第１実施形態による位置決め治具の折り曲げた状態を示す図である。
【図４】給電コイルおよび受電コイルの位置決め方法を説明する図である。
【図５】図４のＡ−Ａ線断面図である。
【図６】上枠が壁部から突出していない場合の給電コイルおよび受電コイルの位置決め方法を説明する図である。
【図７】本発明の第２実施形態による位置決め治具の折り曲げる前の状態を示す図である。
【図８】本発明の第２実施形態による位置決め治具の折り曲げた状態を示す図である。
【図９】本発明の第３実施形態による位置決め治具の折り曲げた状態を示す図である。
【発明を実施するための形態】
【００１６】
（第１実施形態）
以下、本発明の第１実施形態による位置決め治具について、図１乃至図６に基づいて説明する。
第１実施形態による位置決め治具は、図１に示すような建物の壁部１１に形成された開口部１２を開閉するシャッター装置（設備装置）１３が有する給電コイル１４および受電コイル１５の位置決めを行うために用いられている。
シャッター装置１３は、開口部１２を開閉するシャッターカーテン１６と、シャッターカーテン１６が巻き取られて収容されるシャッターボックス１７と、シャッターカーテン１６の巻出し・巻き取りを駆動する駆動部１８と、建物の電源部（不図示）から電力が供給されて駆動部１８に電力を供給する給電コイル１４および受電コイル１５と、を有している。
【００１７】
第１実施形態のシャッター装置１３は、既存のサッシが設けられた開口部１２に対して新設される形態となっている。既存の壁部１１には、開口部１２の上縁部に沿って上枠や額縁などが設けられている。本実施形態では、開口部１２の上縁部に沿って上枠１９が設けられているものとする。
上枠１９の室内側の面１９ａは、壁部１１の室内側の面１１ａよりも室内側に配置されている。上枠１９の室外側の面１９ｂは、壁部１１の室外側の面１１ｂと略面一に配置されている。上枠１９の室内側の面１９ａおよび室外側の面１９ｂは、鉛直面に形成されている。上枠１９の下面１９ｃは、水平面に形成されている。
【００１８】
本発明の「壁部の室内側の面」には、壁部１１の室内側の面１１ａおよび上枠１９の室内側の面１９ａが含まれている。また、本発明の「壁部の室外側の面」には、壁部１１の室外側の面１１ｂおよび上枠１９の室外側の面１９ｂが含まれている。
上枠１９の室内側の面１９ｂの下縁部を上枠室内側下縁部１９ｄとし、上枠１９の室外側の面１９ｂの下縁部を上枠室外側下縁部１９ｅとする。
【００１９】
シャッターボックス１７は、壁部１１の室外側の面１１ｂにおける開口部１２の上部に設置されている。シャッターボックス１７の内部には、駆動部１８および受電コイル１５が配置されている。受電コイル１５は、シャッターボックス１７の内部において壁部１１の室外側の面１１ｂに設置されている。
給電コイル１４は、壁部１１の室内側の面１１ａにおける開口部１２の上部に設置されている。給電コイル１４は、壁部１１の室内側に設けられたコンセント１４１に接続されることで、電源部から電源が供給されるように構成されている。給電コイル１４は、電源部から供給された電力を、受電コイル１５に非接触で伝送するように構成されている。
【００２０】
給電コイル１４と受電コイル１５とは、壁部１１を介して見込み方向（壁部１１に直交する方向）対向するように配置されている。
給電コイル１４および受電コイル１５は、壁部１１を介して対向する位置に配置されることで、給電コイル１４から受電コイル１５に効率よく電力を供給できるように構成されている。このため、本実施形態による位置決め治具１Ａは、給電コイル１４と受電コイル１５とを、壁部１１を介して対向する位置に配置できるように構成されている。
【００２１】
図２に示すように、位置決め治具１Ａは、平板状に形成されていて、図３および図４に示すように折り曲げられた状態で給電コイル１４および受電コイル１５（図１参照）の位置決めを行うように構成されている。本実施形態では、位置決め治具１Ａは、シャッター装置１３を梱包していたダンボールの梱包材で形成されていて、所望の位置で折り曲げ可能に構成されている。
【００２２】
図２および図３に示すように、位置決め治具１Ａは、第１板部２と、第２板部３と、第１板部２と第２板部３とを接続する接続板部４と、を有している。
位置決め治具１Ａは、折り曲げられていない状態において、板面が横方向よりも縦方向に長くなる長方形状に形成され、第１板部２、接続板部４、第２板部３の順番に縦方向に配列されている。
第１板部２、第２板部３および接続板部４は、それぞれの板面が長方形状に形成され、それぞれの横方向の寸法が互いに同じ寸法に形成されている。
【００２３】
第１板部２と接続板部４との間には、横方向に延びる第１折り曲げ線５が設けられている。位置決め治具１Ａは、第１折り曲げ線５で折り曲げられることで、第１板部２と接続板部４とがなす角度を変えることができるように構成されている。
第２板部３と接続板部４との間には、横方向に延びる第２折り曲げ線６が設けられている。位置決め治具１Ａは、第２折り曲げ線６で折り曲げられることで、第２板部３と接続板部４とがなす角度を変えることができるように構成されている。
【００２４】
位置決め治具１Ａは、第１板部２と第２板部３とが対向するように、第１折り曲げ線５および第２折り曲げ線６で折り曲げられることで、横方向に直交する断面形状が略Ｃ字形となるように構成されている。
位置決め治具１Ａは、略Ｃ字形に折り曲げられた状態で給電コイル１４および受電コイル１５（図１参照）の位置決めをできるように構成されている。
【００２５】
第１板部２には、給電コイル１４の外形に相当し給電コイル１４を嵌め込み可能な第１孔部（給電コイル設置位置表示部）２１が形成されている。第１折り曲げ線５から第１孔部２１までの寸法Ｌ１は、上枠１９の下面１９ｃから給電コイル１４の下縁部までの高さ寸法ｈ１（図１参照）と同じ値に設定されている。
【００２６】
第２板部３には、受電コイル１５の外形に相当し受電コイル１５を嵌め込み可能な第２孔部（受電コイル設置位置表示部）３１が形成されている。第２折り曲げ線６から第２孔部３１までの寸法Ｌ２は、上枠１９の下面１９ｃから受電コイル１５の下縁部までの高さ寸法ｈ２（図１参照）と同じ値に設定されている。
図３に示すように、第１孔部２１と第２孔部３１とは、位置決め治具１Ａが略Ｃ字形に折り曲げられた状態で対向するように配置されている。
【００２７】
図２および図３に示すように、接続板部４には、縦方向の中間部に横方向全体にわたって延びる接続折り曲げ線４１が形成されている。接続板部４は、接続折り曲げ線４１で折り曲げられることで、接続折り曲げ線４１の一方側と他方側とがなす角度を変えることができ、接続板部４の縦方向の寸法を調整可能に構成されている。
接続板部４は、縦方向の寸法Ｌ３が上枠１９の見込み方向の寸法ｄ１（図１参照）と同じ値に設定されている。
【００２８】
続いて、給電コイル１４および受電コイル１５の位置決め方法について説明する。
ここでは、図１に示す壁部１１の室外側の面１１ｂに対する受電コイル１５を設置する受電コイル設置位置１５１が予め設定されていて、給電コイル１４を壁部１１を介して受電コイル１５と対向する位置に設置するための給電コイル１４の位置決め方法について説明する。
給電コイル１４および受電コイル１５は、シャッターボックス１７よりも先に壁部１１に設置するように設定されている。
【００２９】
まず、位置決め治具１Ａを、その横方向が見付け方向となる向きとし、第２板部３を接続板部４および第１板部２よりも上側となる向きとする。
図４および図５に示すように、第２板部３を壁部１１の室外側の面１１ｂと対向させ、第２孔部３１を受電コイル１５の設置位置に重ねるとともに、第２折り曲げ線６を上枠室外側下縁部１９ｅと重ねるように位置決め治具１Ａを配置する。なお、この状態における第１板部２および接続板部４は、図５において一点鎖線で示すような板面が見込み方向を向く姿勢となっている。
【００３０】
第２折り曲げ線６を上枠室外側下縁部１９ｅと重ねた状態を維持し、第２折り曲げ線６で、接続板部４および第１板部２を室内側に向かって折り曲げ、図５に示すように、接続板部４を上枠１９の下面１９ｃと当接させ、第１折り曲げ線５を上枠室内側下縁部１９ｄと重ねた状態とする。なお、この状態における第１板部２は、図５において一点鎖線で示すような板面が上下を向く姿勢となっている。
【００３１】
第１折り曲げ線５を上枠室内側下縁部１９ｄと重ねた状態を維持し、第１折り曲げ線５で第１板部２を上側に折り曲げる。第１板部２を上枠１９の室内側の面１９ａと当接させるとともに、壁部１１の室内側の面１１ａと対向させる。このようにすることにより、第１孔部２１が壁部１１を介して第２孔部３１と対向する位置に配置される。
壁部１１の室内側の面１１ａにおける第１板部２の第１孔部２１と重なる位置に印をつける。この印が給電コイル１４を設置する給電コイル設置位置１４２を示している。
位置決め治具１Ａを壁部１１から外し、受電コイル設置位置１５１に受電コイル１５を設置し、給電コイル設置位置１４１に給電コイル１４を設置する。
受電コイル１５および給電コイル１４は、このように設置されることにより、壁部１１を介して対向する位置に配置される。
【００３２】
本実施形態では、接続折り曲げ線１４で折り曲げていない状態の接続板部４の縦方向の寸法Ｌ３（見込み方向の寸法、図３参照）が上枠１９の見込み方向の寸法ｄ１（図１参照）と同じため、接続板部４を上枠１９の下面１９ｃと当接させた状態とすることができる。これに対し、接続折り曲げ線１４で折り曲げていない状態の接続板部４の縦方向の寸法Ｌ３が上枠１９の見込み方向の寸法ｄ１よりも長い場合は、図６に示すように、接続板部４を接続折り曲げ線４１で屈曲させて、上枠１９の下面１９ｃとは当接させずに、第１折り曲げ線５を上枠室内側下縁部１９ｄと重ねた状態とする。
【００３３】
次に、上述した第１実施形態による位置決め治具１Ａの作用・効果について図面を用いて説明する。
第１実施形態による位置決め治具１Ａでは、第１板部２が壁部１１の室外側の面１１ｂに沿い、第２板部３が壁部１１の室外側の面１１ｂに沿い、接続板部４が上枠１９の下面１９ｃに沿うように位置決め治具１Ａを設置することにより、第１孔部２１と第２孔部３１とが壁部１１を介して対向する位置に配置される。
このため、第２孔部３１を受電コイル１５の設置位置に合わせるようにして位置決め治具１Ａを壁部１１に設置すれば、第１孔部２１の位置が給電コイル１４の設置位置となる。そして、それぞれのコイルの設置位置に給電コイル１４および受電コイル１５を設置することで、給電コイル１４と受電コイル１５とを壁部１１を介して対向する位置に配置することができる。
【００３４】
また、第１板部２と接続板部４とは、第１折り曲げ線５を介して折り曲げ可能に接続され、第２板部３と接続板部４とは、第２折り曲げ線６を介して折り曲げ可能に接続されている。これにより、第１折り曲げ線５を上枠室内側下縁部１９ｄに合わせ、第２折り曲げ線６を上枠室外側下縁部１９ｅに合わせることで、位置決め治具１Ａを壁部１１に対して正位置に配置することができる。これにより、第１孔部２１と第２孔部３１とを、壁部１１を介して対向する位置に容易に配置することができる。
【００３５】
また、接続板部４は、縦方向の中間部に、横方向に延びる接続折り曲げ線４１を有している。これにより、接続板部４の縦方向の寸法が壁部１１や上枠１９の見込み方向の寸法（開口部１２の貫通する方向の寸法）よりも大きい場合でも、接続折り曲げ線４１で接続板部４を折り曲げることで、接続板部４の縦方向を壁部１１の厚さ寸法に合わせることができる。これにより、第１板部２と第２板部３との間隔を壁部１１の厚さ寸法に合わせることができ、壁部１１の厚さ寸法が異なる場合でも同じ位置決め治具１Ａを用いることができる。
【００３６】
また、位置決め治具１Ａは、シャッター装置１３の梱包材で形成されていることにより、位置決め治具１Ａにかかるコストや運搬の手間などを軽減させることができる。
【００３７】
（第２実施形態）
次に、他の実施形態について、添付図面に基づいて説明するが、上述の第１実施形態と同一又は同様な部材、部分には同一の符号を用いて説明を省略し、実施形態と異なる構成について説明する。
図７に示すように、第２実施形態による位置決め治具１Ｂは、第１板部２Ｂが第１実施形態による位置決め治具１Ａの第１板部２よりも縦方向の寸法が大きく設定されている。第２実施形態の第２板部３Ｂは、第１実施形態の第２板部３と縦方向の寸法が同じ寸法に設定されている。このため、第２実施形態では、第１板部２Ｂは、第２板部３Ｂよりも縦方向の寸法が大きく設定されている。
具体的には、第１板部２Ｂの第１折り曲げ線５と第１孔部２１との間の寸法Ｌ４が、第２板部３Ｂの第２折り曲げ線６と第２孔部３１との間の寸法Ｌ２よりも上枠１９が壁部１１の室内の面１１ａから突出する寸法ｄ２（図８参照）の分だけ大きく設定されている。
【００３８】
図８に示すように、第２実施形態では、第１板部２Ｂは、上枠１９の室内側の面１９ａ、上枠１９の壁部１１の室外側の面１１ｂから突出する部分の上面１９ｆ、および壁部１１の室内側の面１１ａと当接可能に構成されている。このため、第１板部２Ｂは、上枠１９の室外側の面１９ｂ、壁部１１の室外側の面１１ｂと当接可能に構成された第２板部３Ｂと比べて、縦方向の寸法が大きく設定されている。
【００３９】
第１板部２Ｂは、上枠１９の室内側の面１９ａと当接可能な上枠室内側面当接部２２と、上枠１９の壁部１１の室外側の面１１ｂから突出する部分の上面１９ｆと当接可能な上枠上面当接部２３と、壁部１１の室外側の面１１ｂと当接可能な壁部室内側面当接部２４と、を有している。
これらの上枠室内側面当接部２２、上枠上面当接部２３、および壁部室内側面当接部２４は、第１折り曲げ線５から接続板部４と離間する側に向かってこの順番に配置されている。第１孔部２１は、壁部室内側面当接部２４に形成されている。
【００４０】
図８に示すように、第２実施形態による位置決め治具１Ｂの第１板部２Ｂは、第１折り曲げ線５が上枠室内側下縁部１９ｄに重なり、上枠室内側面当接部２２が上枠１９の室内側の面１９ａに当接し、上枠１９の室内側の面１９ａと上枠１９の上面とがなす角部において室外側に折り曲げられて上枠上面当接部２３が上枠１９の上面に当接し、上枠１９の上面と壁部１１の室外側の面１１ｂとがなす角部において上側に折り曲げられて壁部室内側面当接部２４が壁部１１の室外側の面１１ｂと当接するように構成されている。
第２実施形態による位置決め治具１Ｂにおいても、第１孔部２１と第２孔部３１とは見込み方向に対向している。
【００４１】
第２実施形態による位置決め治具１Ｂでは、上枠１９の室内側の面１９ａが壁部１１の室外側の面１１ｂよりも室内側に配置されている場合でも、上枠１９および壁部１１に当接した状態で位置決め治具１Ｂの第１板部２Ｂを設置することができるため、第１板部２Ｂと壁部１１の室内側の面１１ａとの間に隙間ができることがなく、第１孔部２１が給電コイル１４の位置を確実に示すことができる。
【００４２】
（第３実施形態）
図９に示すように、第３実施形態では、上枠１９の室外側の面１９ｂが壁部１１の室外側の面１１ｂよりも室内側に配置されている。壁部１１には、下方を向き、上枠１９の室外側の面１９ｂの上端部と当接する位置から壁部１１の室外側の面１１ｂの下端部まで延びて上枠１９に覆われない壁部下端露出面１１ｃが形成されている。上枠１９の室内側の面１９ａは、上記の実施形態と同様に、壁部１１の室外側の面１１ｂよりも室内側に配置されている。
【００４３】
第３実施形態による位置決め治具１Ｃでは、第２板部３Ｃは、上枠１９の室外側の面１９ｂ、壁部下端露出面１１ｃおよび壁部１１の室外側の面１１ｂと当接可能に構成されている。このため、第２板部３Ｃは、上枠１９の室外側の面１９ｂと当接する上枠室外側面当接部３２と、壁部下端露出面１１ｃと当接する壁部下端露出面当接部３３と、壁部１１の室外側の面１１ｂと当接する壁部室外側面当接部３４と、を有している。
これらの上枠室外側面当接部３２、壁部下端露出面当接部３３および壁部室外側面当接部３４は、第２折り曲げ線６から接続板部４と離間する側に向かってこの順番に配置されている。第２孔部３１は、壁部室外側面当接部３４に形成されている。
【００４４】
第３実施形態による位置決め治具１Ｃの第２板部３Ｃは、第２折り曲げ線６が上枠室外側下縁部１９ｅに重なり、上枠室外側面当接部３２が上枠１９の室外側の面１９ｂに当接し、上枠１９の室外側の面１９ｂと壁部下端露出面１１ｃとがなす角部において室外側に折り曲げられて壁部下端露出面当接部３３が壁部下端露出面１１ｃに当接し、壁部下端露出面１１ｃと室外側の面１１ｂとの角部において上側に折り曲げられて壁部室外側面当接部３４が壁部１１の室外側の面１１ｂと当接するように構成されている。
第１板部２Ｃは、第２実施形態の位置決め治具１Ｂの第１板部２Ｂと同様に形成されて、壁部１１の室内側に配置されている。
第３実施形態による位置決め治具１Ｃにおいても、第１孔部２１と第２孔部３１とは見込み方向に対向している。
【００４５】
第３実施形態による位置決め治具１Ｃでは、上枠１９の室外側の面１９ｂが壁部１１の室外側の面１１ｂよりも室内に配置される場合でも、上枠１９および壁部１１に当接した状態で位置決め治具１Ｃの第２板部３Ｃを設置することができるため、第２板部３Ｃと上枠１９との間に隙間ができることがなく、第２孔部３１が受電コイル１５の位置を確実に示すことができる。
【００４６】
以上、本発明による位置決め治具の実施形態について説明したが、本発明は上記の実施形態に限定されるものではなく、その趣旨を逸脱しない範囲で適宜変更可能である。
例えば、上記の実施形態では、壁部１１の室外側の面１１ｂに対する受電コイル１５の設置位置が予め設定されていて、位置決め治具１Ａ−１Ｃを用いて給電コイル１４の設置位置に印をつけて、受電コイル１５の設置位置に受電コイル１５を設置し、給電コイル１４の設置位置に給電コイル１４を設置するように構成されている。
これに対し、壁部１１の室外側の面１１ｂに受電コイル１５が設置されていて、受電コイル１５を第２孔部３１に嵌め込むようにして位置決め治具１Ａ−１Ｃを設置してもよい。このとき、壁部１１の第１孔部２１に対応する位置に給電コイル１４の設置位置を印して、印された給電コイル１４の設置位置に給電コイル１４を設置してもよいし、第１孔部２１に給電コイル１４を嵌め込むようにして給電コイル１４を壁部１１に設置してもよい。
また、上記の実施形態では、受電コイル１５に対して給電コイル１４を対向する位置に配置しているが、給電コイル１４に対して受電コイル１５を対向する位置に配置してもよい。
【００４７】
また、上記の実施形態において、シャッターボックス１７が壁部１１に設置された状態で受電コイル１５を設置してもよいし、シャッターボックス１７を壁部１１に設置する前に壁部１１に受電コイル１５を設置してもよい。シャッターボックス１７が壁部１１に設置された状態で受電コイル１５を設置する場合は、壁部１１の室外側の面１１ｂに設置されたシャッターボックス１７の背板に第２板部３，３Ｂ，３Ｃを沿わせるように位置決め治具１Ａ−１Ｃを配置してもよい。なお、金属製の背板における受電コイル１５が設置される部分には、切欠きが形成されていて、受電コイル１５は切欠き部の内部に配置される。
【００４８】
また、上記の実施形態では、位置決め治具１Ａ−１Ｃは、給電コイル１４および受電コイル１５が既設の壁部１１に設置される際に用いられているが、給電コイル１４および受電コイル１５が新設の壁部に設置される際に用いられてもよい。
【００４９】
また、上記の実施形態では、上枠１９は、壁部１１の面よりも突出していたり、面一であったり、壁部１１の内側となる位置に配置されたりしているが、上枠１９の形状は適宜設定されてよい。また、開口部１２に沿って額縁が設けられる場合は、額縁の形状は適宜設定されてよい。額縁が設けられる場合は、位置決め治具１Ａ−１Ｃが額縁を巻き込むようにして設置されてもよい。
【００５０】
また、上記の実施形態では、第１板部２，２Ｂ，２Ｃに給電コイル１４を嵌め込み可能な第１孔部２１が形成され、第２板部３，３Ｂ，３Ｃに受電コイル１５を嵌め込み可能な第２孔部３１が形成されているが、給電コイル１４および受電コイル１５の位置を示すことができれば、第１孔部２１および第２孔部３１に代わって溝部などが形成されていてもよい。
また、上記の実施形態では、位置決め治具１Ａ−１Ｃは、第１折り曲げ線５および第２折り曲げ線６で折り曲げ可能に構成されているが、折り曲げられた状態に形成されていてもよい。
また、上記の実施形態では、接続板部４に接続折り曲げ線４１が設けられているが、設けられていなくてもよい。
また、上記の実施形態では、位置決め治具１Ａ−１Ｃは、シャッター装置１３の梱包材で形成されているが、梱包材以外の材料で形成されていてもよい。
【符号の説明】
【００５１】
１Ａ，１Ｂ，１Ｃ  位置決め治具
２，２Ｂ，２Ｃ  第１板部
３，３Ｂ，３Ｃ  第２板部
４  接続板部
５  第１折り曲げ線
６  第２折り曲げ線
１１  壁部
１１ａ  室内側の面（一方の面）
１１ｂ  室外側の面（他方の面）
１２  開口部
１３  シャッター装置（設備装置）
１４  給電コイル
１５  受電コイル
２１  第１孔部（給電コイル設置位置表示部）
３１  第２孔部（受電コイル設置位置表示部）
４１  接続折り曲げ線
【図１】
2019022394.tif 000003
【図２】
2019022394.tif 000004
【図３】
2019022394.tif 000005
【図４】
2019022394.tif 000006
【図５】
2019022394.tif 000007
【図６】
2019022394.tif 000008
【図７】
2019022394.tif 000009
【図８】
2019022394.tif 000010
【図９】
2019022394.tif 000011